(57)【要約】    【課題】電子メール送受信に伴う交換機の輻輳を軽減すると共に電子メール送受信に伴う課金を気にかける必要なく対象とする端末装置に定型文を表示する方法を提供する。    【解決手段】本発明に係る発信端末装置と着信端末装置を回線接続するための呼制御信号を発信可能な発信端末装置の制御方法は、入力された前記着信端末装置への伝言情報と、前記着信端末装置で前記伝言情報を開示するための認証に用いられる認証情報と通知元が含まれる伝言設定情報を前記着信端末装置に送信するステップと、送信した前記認証情報を記憶するステップと、前記回線接続するための回線接続情報を含む前記呼制御信号に前記記憶するステップにおいて記憶した前記認証情報を付加して前記呼制御信号を生成するステップと、生成した前記呼制御信号を前記着信端末装置に送信するステップと、を有することを特徴とする発信端末装置の制御方法を提供することで解決される。【選択図】    図１
2008077396.tif 000002
【特許請求の範囲】
【請求項１】
発信端末装置と着信端末装置を回線接続するための呼制御信号を発信可能な発信端末装置の制御方法において、
入力された前記着信端末装置への伝言情報と、前記着信端末装置で前記伝言情報を開示するための認証に用いられる認証情報と通知元が含まれる伝言設定情報を前記着信端末装置に送信するステップと、
前記送信するステップにおいて送信した前記認証情報を記憶するステップと、
前記回線接続するための回線接続情報を含む前記呼制御信号に前記記憶するステップにおいて記憶した前記認証情報を付加して前記呼制御信号を生成するステップと、
前記生成するステップにおいて生成した前記呼制御信号を前記着信端末装置に送信するステップと、
を有することを特徴とする発信端末装置の制御方法。
【請求項２】
発信端末装置と着信端末装置を回線接続するための呼制御信号を着信可能な着信端末装置の制御方法において、
前記発信端末装置から出力された、前記着信端末装置への伝言情報と、前記着信端末装置で前記伝言情報を開示するための認証に用いられる認証情報が含まれる伝言設定情報を受信するステップと、
前記受信するステップにおいて受信した前記伝言情報と前記認証情報を記憶するステップと、
前記呼制御信号を受信するステップと、
前記受信ステップにおいて受信した前記呼制御信号から前記認証情報を検出するステップと、
前記検出ステップにおいて検出した前記認証情報と前記記憶するステップで記憶された前記認証情報が一致したとき前記伝言情報を開示するステップと、
を有することを特徴とする着信端末装置の制御方法。
【請求項３】
発信端末装置と着信端末装置を回線接続するための呼制御信号を発信可能な発信端末装置において、
入力された前記着信端末装置への伝言情報と、前記着信端末装置で前記伝言情報を開示するための認証に用いられる認証情報と通知元が含まれる伝言設定情報と、前記回線接続するための回線接続情報が含まれる前記呼制御信号に前記認証情報を付加した前記呼制御信号を作成する作成手段と、
前記作成手段において使用した前記認証情報を記憶する記憶手段と、
前記作成手段において作成した前記伝言設定情報を送信し、前記回線接続時は前記呼制御信号を前記着信端末装置に送信する送信手段と、
を有することを特徴とする発信端末装置。
【請求項４】
発信端末装置と着信端末装置を回線接続するための呼制御信号を着信可能な着信端末装置において、
前記発信端末装置から出力された、前記着信端末装置への伝言情報と、前記着信端末装置で前記伝言情報を開示するための認証に用いられ認証情報を含む伝言設定情報と、前記回線接続するための回線接続情報が含まれる前記呼制御信号に前記認証情報が付加された前記呼制御信号を受信する受信手段と、
前記受信手段において受信した前記伝言情報と前記認証情報を記憶する記憶手段と、
前記受信手段において受信した前記呼制御信号から前記認証情報を検出する検出手段と、
前記検出手段において検出した前記認証情報と前記記憶手段において記憶した前記認証情報が一致したとき前記伝言情報を開示する開示手段と
を有することを特徴とする着信端末装置。
【発明の詳細な説明】
【技術分野】
【０００１】
本発明は発信端末装置からのメッセージ（伝言）を着信端末装置で表示する技術に関する。
【背景技術】
【０００２】
通信環境を利用して発側端末装置から着側端末装置にメッセージ（伝言）を表示させる端末装置制御方法の一例として、定型文をメッセージ（伝言）として表示させる技術がある。例として、発側の携帯電話が定型文を含む電子メールを生成し、生成した電子メールを対象とする着側の携帯電話に送信し、着側の携帯電話が受信した電子メールを表示するという方法がある。その具体的な手順は以下の通りである。発側の端末電話は、定型文が記載された電子メールをネットワークに送信する。この送信方法には、ＳＩＭＰＬＥＭａｉｌ Ｔｒａｎｓｆｅｒ Ｐｒｏｔｏｃｏｌ（以下、ＳＭＴＰと呼ぶ）に準拠して携帯電話会社が定めたメール送信プロトコルを用いる。ネットワークは前記電子メールを着側の携帯電話に中継する。ネットワークは前記電子メールを着側の携帯電話に送信する。この送信方法には、３ｒｄＧｅｎｅｒａｔｉｏｎ Ｐａｒｔｎｅｒｓｈｉｐ Ｐｒｏｊｅｃｔ（以下、３ＧＰＰと呼ぶ）  Ｔｅｃｈｎｉｃａｌ Ｓｐｅｃｉｆｉｃａｔｉｏｎ（以下、ＴＳと呼ぶ）  ２４．００８に準拠して携帯電話会社が定めた呼制御プロトコルを用いる。着側の携帯電話は、発側からの定型文を含む電子メールを携帯電話の画面に表示する。
【０００３】
しかし、前記の電子メールを用いて定型文を着側の携帯電話に表示させる方法は、その都度電子メールのデータを通信環境に流通させるものである。例えば災害時に使用する安否確認システムが前記と同じ方法を採用した場合、多数の電子メールのデータが通信環境を流通することになる。そして前記の多数の電子メールのデータが通信環境に流通することを原因としてネットワークが輻輳する可能性があった。また、前記の携帯電話の利用者は、電子メール送受信の度に課金されていた。このため、前記利用者は電子メール送受信の度に前記の課金を気にかける必要があった。
【０００４】
定型文の電子メールを送信する技術として（特許文献１）や（特許文献２）が既に公開されていた。
【特許文献１】特開２００１−１６７０１４号公報
【特許文献２】特開２００２−３７３１３８号公報
【発明の開示】
【発明が解決しようとする課題】
【０００５】
本発明は定型文を含む電子メールの送受信に伴うネットワークの輻輳を軽減すると共に、電子メールの送受信に伴う課金を気にかける必要なく発信端末装置から着信端末装置に定型文を表示する端末制御方法を提供する。
【課題を解決するための手段】
【０００６】
本発明に係る発信端末装置の制御方法は、発信端末装置と着信端末装置を回線接続するための呼制御信号を発信可能な発信端末装置の制御方法において、入力された着信端末装置への伝言情報と、着信端末装置で伝言情報を開示するための認証に用いられる認証情報と通知元が含まれる伝言設定情報を着信端末装置に送信するステップと、送信するステップにおいて送信した認証情報を記憶するステップと、回線接続するための回線接続情報を含む呼制御信号に記憶するステップにおいて記憶した認証情報を付加して呼制御信号を生成するステップと、生成するステップにおいて生成した呼制御信号を着信端末装置に送信するステップと、を有することを特徴とする。
【０００７】
また、本発明に係る着信端末装置の制御方法は、発信端末装置と着信端末装置を回線接続するための呼制御信号を着信可能な着信端末装置の制御方法において、発信端末装置から出力された、着信端末装置への伝言情報と、着信端末装置で伝言情報を開示するための認証に用いられる認証情報が含まれる伝言設定情報を受信するステップと、
受信するステップにおいて受信した伝言情報と認証情報を記憶するステップと、呼制御信号を受信するステップと、受信ステップにおいて受信した呼制御信号から認証情報を検出するステップと、検出ステップにおいて検出した認証情報と記憶するステップで記憶された認証情報が一致したとき伝言情報を開示するステップと、を有することを特徴とする。
【０００８】
また、本発明に係る着信端末装置の制御方法は、開示するステップが所定時間以上であった場合、開示するステップに対応する応答を意味する情報要素を含む呼制御信号を生成し、生成した呼制御信号を発信端末装置に送信するステップと、を更に備えたことを特徴とする請求項２記載の着信端末装置の制御方法である。
【０００９】
また、本発明に係る発信端末装置の制御方法は、着信側端末から伝言情報の開示に対応する応答を意味する情報要素を含む呼制御信号を受信した場合、受信した呼制御信号から抽出した情報要素を開示するステップと、を更に備えたことを特徴とする請求項１記載の発信末の制御方法である。
【００１０】
また、本発明に係る発信端末装置は、発信端末装置と着信端末装置を回線接続するための呼制御信号を発信可能な発信端末装置において、入力された着信端末装置への伝言情報と、着信端末装置で伝言情報を開示するための認証に用いられる認証情報と通知元が含まれる伝言設定情報と、回線接続するための回線接続情報が含まれる呼制御信号に認証情報を付加した呼制御信号を作成する作成手段と、作成手段において使用した認証情報を記憶する記憶手段と、作成手段において作成した伝言設定情報を送信し、回線接続時は呼制御信号を着信端末装置に送信する送信手段と、を有することを特徴とする。
【００１１】
また、本発明に係る着信端末装置は、発信端末装置と着信端末装置を回線接続するための呼制御信号を着信可能な着信端末装置において、発信端末装置から出力された、着信端末装置への伝言情報と、着信端末装置で伝言情報を開示するための認証に用いられ認証情報を含む伝言設定情報と、回線接続するための回線接続情報が含まれる呼制御信号に認証情報が付加された呼制御信号を受信する受信手段と、受信手段において受信した伝言情報と認証情報を記憶する記憶手段と、受信手段において受信した呼制御信号から認証情報を検出する検出手段と、検出手段において検出した認証情報と記憶手段において記憶した認証情報が一致したとき伝言情報を開示する開示手段とを有することを特徴とする。
【００１２】
また、本発明に係る通信システムは、発信端末装置と着信端末装置を回線接続するための呼制御信号を用いた通信システムであって、入力された着信端末装置への伝言情報と着信端末装置で伝言情報を開示するための認証に用いられる認証情報と通知元が含まれる伝言設定情報と回線接続するための回線接続情報が含まれる呼制御信号に認証情報を付加した呼制御信号を作成する作成手段と、作成手段において使用した認証情報を記憶する記憶手段と、作成手段において作成した伝言設定情報を送信し、回線接続時は呼制御信号を着信端末装置に送信する送信手段とを有する発信端末装置と、発信端末装置から出力された着信端末装置への伝言情報と着信端末装置で伝言情報を開示するための認証に用いられ認証情報を含む伝言設定情報と回線接続するための回線接続情報が含まれる呼制御信号に認証情報が付加された呼制御信号を受信する受信手段と、受信手段において受信した伝言情報と認証情報を記憶する記憶手段と、受信手段において受信した呼制御信号から認証情報を検出する検出手段と、検出手段において検出した認証情報と記憶手段において記憶した認証情報が一致したとき伝言情報を開示する開示手段とを有する着信端末装置と、発信端末装置と着信端末装置を接続するための交換ネットワークと、を有することを特徴とする。
【００１３】
また、本発明に係る発信端末装置プログラムは、発信端末装置と着信端末装置を回線接続するための呼制御信号を発信可能な発信端末装置を制御する発信端末装置プログラムにおいて、入力された着信端末装置への伝言情報と、着信端末装置で伝言情報を開示するための認証に用いられる認証情報と通知元が含まれる伝言設定情報を着信端末装置に送信するステップと、送信するステップにおいて送信した認証情報を記憶するステップと、回線接続するための回線接続情報を含む呼制御信号に記憶するステップにおいて記憶した認証情報を付加して呼制御信号を生成するステップと、生成するステップにおいて生成した呼制御信号を着信端末装置に送信するステップと、をコンピュータに実行させることを特徴とする。
【００１４】
また、本発明に係る着信端末装置プログラムは、発信端末装置と着信端末装置を回線接続するための呼制御信号を着信可能な着信端末装置の制御する着信端末装置プログラムにおいて、発信端末装置から出力された、着信端末装置への伝言情報と、着信端末装置で伝言情報を開示するための認証に用いられる認証情報が含まれる伝言設定情報を受信するステップと、受信するステップにおいて受信した伝言情報と認証情報を記憶するステップと、呼制御信号を受信するステップと、受信ステップにおいて受信した呼制御信号から認証情報を検出するステップと、検出ステップにおいて検出した認証情報と記憶するステップで記憶された認証情報が一致したとき伝言情報を開示するステップと、をコンピュータに実行させることを特徴とする。
【００１５】
また、本発明に係る発信端末装置プログラムを格納したコンピュータ読み取り可能な記録媒体は、発信端末装置と着信端末装置を回線接続するための呼制御信号を発信可能な発信端末装置を制御する発信端末装置プログラムを格納したコンピュータ読み取り可能な記録媒体において、入力された着信端末装置への伝言情報と、着信端末装置で伝言情報を開示するための認証に用いられる認証情報と通知元が含まれる伝言設定情報を着信端末装置に送信するステップと、送信するステップにおいて送信した認証情報を記憶するステップと、回線接続するための回線接続情報を含む呼制御信号に記憶するステップにおいて記憶した認証情報を付加して呼制御信号を生成するステップと、生成するステップにおいて生成した呼制御信号を着信端末装置に送信するステップと、をコンピュータに実行させることを特徴とする。
【発明の効果】
【００１６】
発信端末装置は発信端末装置に定型文と定型文を着信端末装置で開示するための認証ＩＤからなる伝言情報を送信する。着信端末装置は伝言情報を記憶し、そして、発信端末装置から呼制御信号に載せた認証ＩＤを受信したことをトリガに記憶された定型文の表示を行う。これにより本発明では、定型文を含む電子メールの送受信に伴うネットワークの輻輳を軽減する効果がある。更に本発明では電子メールの送受信に伴う課金を気にかける必要なく前記の電子メールを用いて定型文を着側の携帯電話を表示できる効果がある。
【発明を実施するための最良の形態】
【００１７】
以下に図面を用いて本発明の実施の形態を説明する。
【００１８】
１．端末のハードウェア構成図
図１は呼制御信号を用いて定型文を表示する発信側又は着信側となる端末装置１０のハードウェア構成の例である。そのハードウェアはＣＰＵ３と記憶部５、無線制御部２１、ディスプレイ２３、キー２５、バス１９で構成される。ＣＰＵ３は記憶部５と無線制御部２１、ディスプレイ２３、キー２５、バス１９を制御するものである。記憶部５は定型文登録要求プログラム７と定型文登録プログラム９、定型文表示要求プログラム１１、定型文表示プログラム１３、表示応答を含む定型文表示要求プログラム１４、表示応答を含む定型文表示プログラム１５、端末装置テーブル１７を格納するものである。無線制御部２１は後で説明する交換機３０との無線通信を制御するものである。ディスプレイ２３は利用者が定型文を表示するために行った操作の結果を表示するためのものである。キー２５は利用者が定型文を表示するための情報を入力するものである。バス１９はＣＰＵ３と記憶部５、無線制御部２１、ディスプレイ２３、キー２５の間でデータを交換するためのバスである。記憶部５が格納する定型文登録要求プログラム７と定型文登録プログラム９、定型文表示要求プログラム１１、定型文表示プログラム１３、表示応答を含む定型文表示要求プログラム１４、表示応答を含む定型文表示プログラム１５の動作については、後で説明する。
【００１９】
１．１．端末装置テーブル構成図
端末装置テーブル１７は端末装置１０を制御するための情報である。図２は端末装置テーブル１７を示している。端末装置テーブル１７の要素は、端末ＩＤ１６１と交換機ＩＤ１６３、端末装置電話番号１７１、端末装置メールアドレス１７３、電話番号１７５、メールアドレス１７７、定型文ＩＤ１７９、定型文１８１である。端末ＩＤ１６１は無線通信を行う交換機３０が通信相手の端末装置１０を特定するための情報である。この情報は交換機３０が端末装置１０の位置登録を行う際、端末装置１０に割り当てたものである。交換機ＩＤは無線通信を行う端末装置１０が通信相手を特定するための情報である。この情報は交換機３０が端末装置１０の位置登録を行う際、端末装置１０に通知したものである。端末装置電話番号１７１は呼制御時の発信番号として使用する情報である。端末装置メールアドレス１７３はメール送受信時の送信元又は送信先メールアドレスとして使用する情報である。電話番号１７５は呼制御時に着信番号として使用する情報である。メールアドレス１７７はメール送受信時の送信元又は送信先メールアドレスとして使用する情報である。定型文ＩＤ１７９は発側端末の利用者が後で説明する定型文を着側端末で表示するための認証として使用する情報である。定型文１８１は発側端末の利用者が任意に入力した伝言情報である。その定型文は着側端末に表示するためのものである。
【００２０】
２．交換機のハードウェア構成図
図３は発信端末装置と着信端末装置の間でやり取りする情報を中継する交換機３０のハードウェア構成の例である。交換機３０は３ＧＰＰの無線通信をつかさどるＲａｄｉｏ  Ａｃｃｅｓｓ  Ｎｅｔｗｏｒｋと位置制御や呼制御、サービス制御をつかさどるＣｏｒｅ  Ｎｅｔｗｏｒｋとを合わせ持つものである。
【００２１】
そのハードウェアはＣＰＵ３１と記憶部３３、無線制御部４３、バス４１で構成される。ＣＰＵ３は記憶部５と無線制御部２１、バス１９を制御するものである。記憶部３３は電子メール中継プログラム３５と呼中継プログラム３７、中継テーブル３９を格納するものである。無線制御部２１は端末装置１０との無線通信を制御するものである。バス４１はＣＰＵ３１と記憶部３３、無線制御部４３の間でデータを交換するためのバスである。記憶部３３が格納する電子メール中継プログラム３５と呼中継プログラム３７の動作については、後で説明する。
【００２２】
２．１．中継テーブル構成図
中継テーブル３９は交換機３０を制御するための情報である。図４は中継テーブル３９を示している。中継テーブル３９の要素は、交換機ＩＤ２９１と端末装置ＩＤ２９３、電話番号３９１、メールアドレス３９３、トランザクションＩＤ３９４である。交換機ＩＤ２９１は無線通信を行う端末装置１０が通信相手を特定するための情報である。この情報は交換機３０が端末装置１０の位置登録を行う際、端末装置１０に通知したものである。端末装置ＩＤ２９３は無線通信を行う交換機３０が通信相手の端末装置１０を特定するための情報である。この情報は交換機３０が端末装置１０の位置登録を行う際、端末装置１０に割り当てたものである。電話番号３９１は呼制御時の発信番号又は着信番号として使用する情報である。メールアドレス３９３は電話番号３９１に対応するものであり、メール送受信時の発信元メールアドレス又は発信先メールアドレスとして使用するものである。トランザクションＩＤ３９４は呼制御中の呼を特定するため情報である。
【００２３】
３．定型文登録処理のシーケンス図
ここで、図５と図９、図６を用いて発信側の端末装置１０が、定型文登録用メールの生成し、生成した定型文登録用メールを交換機１０に送信までの処理を説明する。図５は定型文登録処理を行う場合の発信側の端末装置１０と交換機３０と着信側の端末装置１０の間の処理シーケンスの例である。発信側の端末装置１０中のＣＰＵ３は、定型文登録要求プログラム７（以下、Ｐ７と呼ぶ）を制御することにより定型文登録要求処理を行う。交換機３０中のＣＰＵ３１は、記憶部３３中のメール中継プログラム２５（以下Ｐ２５と呼ぶ）を制御することにより電子メール中継処理を行う。着信側の端末装置１０中のＣＰＵ３は、定型文登録プログラム９（Ｐ９と呼ぶ）を制御することにより定型文登録処理を行う。
【００２４】
Ｓ１０７において、Ｐ７は利用者が入力した定型文登録要求を受付ける。その定型文登録要求の情報の要素は、定型文と定型文ＩＤと定型文の表示先である。定型文は発側端末装置１０の利用者が任意に入力した伝言情報である。定型文ＩＤは発側端末装置１０の利用者が前記定型文を着側端末装置１０で表示するための認証として使用する情報である。定型文の表示先は発側端末装置１０の利用者が任意に入力した送信先メールアドレスである。この送信先メールアドレスは利用者が端末装置テーブル１７中のメールアドレス１７７から選択したものでも良い。
【００２５】
図９は前記定型文登録要求を受付ける場合、発信側の端末装置１０がディスプレイ２３に表示する情報を示している。ディスプレイ２３に表示する情報の要素として以下のものがある。定型文を示す「急な会議のため残業です。」２３０３という情報要素。定型文ＩＤを示す「１」２３０１という情報要素。定型文の送信先を示す「ａｋａｍａ＠ｆｊ．ｃｏｍ」２３０５という情報。定型文登録要求を行う際に用いるボタンを示す「登録」２３０７という情報である。
【００２６】
Ｓ１０９において、Ｐ７は前記定型文登録要求の情報と端末装置テーブル１７中の送信元メールアドレス１７３を用いて定型文登録要求用の電子メールを生成する。
【００２７】
図６は定型文登録用電子メールの情報を示している。定型文登録用電子メールの要素は、送信元メールアドレス６０７と送信先メールアドレス６１１、定型文６１３ＩＤ、定型文６１５である。送信元メールアドレス６０７はメール送受信時の送信元として使用するものである。送信先メールアドレス６１１はメール送受信時の送信先として使用するものである。定型文ＩＤ６１３は発側端末装置１０の利用者が前記定型文を着側端末装置１０で表示するための認証として使用する情報である。定型文６１５は発側端末装置１０の利用者が任意に入力した伝言情報である。
【００２８】
先に説明した図5中のＳ１１１において、Ｐ７は前記定型文登録用メールを交換機３０に送信する。送信先の交換機３０は、端末装置テーブル１７中の交換機ＩＤ１６３で特定したものである。
【００２９】
ここで、図５と図７を用いて交換機３０が、定型文登録用メールを受信し、受信した定型文登録用メールから定型文登録用呼設定信号を生成し、生成した定型文登録用呼設定信号を着信側の端末装置１０に送信までの処理を説明する。先に説明した図５中のＳ３０９において、Ｐ２５は交換機１０から前記定型文登録要求用電子メールを受信する。Ｓ３１３において、Ｐ２５は前記定型文登録要求用電子メールを用いて定型文登録要求用の呼設定信号を生成する。
【００３０】
図７は呼設定信号を示している。呼設定信号の要素は、プロトコル識別７０１とトランザクションＩＤ７０３、メッセージタイプ７０５、発番号７０７、着番号７０９、付加情報７１１である。プロトコル識別７１０は端末装置１０と交換機３０が使用するプロトコルを特定するために使用する情報である。このプロトコル識別７１０には交換機３０が、交換機３０と端末装置１０との間で取り決めておいたＨ．２２５などのプロトコル識別を設定する。トランザクションＩＤ７０３は呼制御中の呼を特定するため情報である。このトランザクションＩＤには交換機３０が、任意に割り当てた情報を設定する。メッセージタイプ７０５は前記プロトコル識別７１０で使用する呼制御メッセージの種別を特定するための情報である。このメッセージタイプには交換機３０が呼設定（ＳＥＴＵＰ）を意味する設定する。発電番７０１は呼制御時の発信番号を特定するための情報である。この発電番７０１には交換機３０は何も設定しない。しかし、交換機３０が前記定型文登録用メール中の送信元メールアドレス６０７に対応する電話番号３９１を中継テーブル３９から抽出し、抽出した電話番号３９１をこの発電番７１０に設定しても良い。着電番７０３は呼制御時の着信番号を特定するための情報である。
【００３１】
この着電番７０９には、交換機３０は何も設定しない。しかし、交換機３０が前記定型文登録用メール中の送信先メールアドレス６０７に対応する電話番号３９１を中継テーブル３９から抽出し、抽出した電話番号３９１をこの着電番７０９に設定しても良い。
【００３２】
付加情報７１１は利用者が任意に設定できる情報である。この付加情報には交換機３０が、前記定型文登録用電子メールの内容を設定する。また、付加情報７１１は一つの情報要素である必要はない。例えば３ＧＰＰ  ＴＳ  ２４．００８で規定されているＬｏｃｋｉｎｇ  Ｓｈｉｆｔ手順を用いて付加情報を有効にするための情報要素であるＬｏｃｋｉｎｇ  Ｓｈｉｆｔと前記Ｌｏｃｋｉｎｇ  Ｓｈｉｆｔにより有効となる付加情報という二つの情報要素によって構成されるものでも良い。
【００３３】
先に説明した図5中のＳ３１５において、Ｐ２５は前記定型文登録用呼設定信号を着信側の端末装置１０に送信する。送信先の端末装置１０は中継テーブル３９から抽出した端末装置ＩＤ２９３で特定したものである。この端末装置ＩＤ２９３は定型文登録用メール中の送信先メールアドレス６０７に対応するものである。
【００３４】
ここで、図５と図８、図１０を用いて着信側の端末装置１０が、定型文登録用呼設定信号を受信し、受信した定型文登録用呼設定信号を用いて定型文を登録するまでの処理を説明する。先に説明した図５中のＳ５０７において、Ｐ９は交換機３０から前記定型文登録用呼設定信号を受信する。Ｓ５０８において、Ｐ９は前記定型文登録用呼設定信号から付加情報７１１を抽出する。この付加情報７１１は前記定型文登録用メールを含むものである。Ｓ５０９において、Ｐ９は前記付加情報７１１中の前記定型文登録用メールから定型文登録用情報を抽出する。この定型文登録用情報の情報要素に必須なものは、定型文ＩＤと定型文であるが、発信元メールアドレスや送信先メールアドレス、題名、発信電話番号を含んでも良い。
【００３５】
また、前記抽出の方法の例として以下のものがある。事前に送信側と受信側の端末で前記定型文登録用情報のそれぞれの情報要素を特定するための特定情報と当該特定情報の範囲を決める。そして、発信側端末は前記特定情報と前記特定情報の範囲を使用した定型文登録用メールを作成し、作成した定型文登録用メールを受信側端末に送信する。受信側端末は前記定型文登録用メールを受信する。受信側端末は前記受信メール中の前記特定情報を検出し、検出した前記特定情報から前記特定情報の範囲までの情報を定型文登録用の情報として抽出する。
【００３６】
図８は定型文登録用メールを示している。定型文登録用メールの要素として以下のものがある。前記特定情報である送信元を示す「Ｆｒｏｍ」２４０１という情報要素。前記特定情報である送信先を示す「Ｔｏ」２４０３という情報要素。前記特定情報である題名を示す「Ｓｕｂｊｅｃｔ」２４０５という情報要素。前記特定情報である定型文ＩＤを示す「定型文ＩＤ」２４０７という情報要素。前記特定情報である定型文を示す「定型文」２４０９という情報要素。前記特定情報である「Ｆｒｏｍ」に対応する特定情報の範囲を示す２４０２という情報要素。前記特定情報である「Ｔｏ」に対応する特定情報の範囲を示す２４０３という情報要素。前記特定情報である「Ｓｕｂｊｅｃｔ」に対応する特定情報の範囲を示す２４０５という情報要素。前記特定情報である「定型文ＩＤ」に対応する特定情報の範囲を示す２４０９という情報要素。前記特定情報である「定型文」に対応する特定情報の範囲を示す２４１１という情報要素。
【００３７】
Ｓ５１１において、Ｐ９は前記定型文登録用情報を用いて定型文の登録を促す表示情報を作成し、作成した表示情報を端末装置１０中のディスプレイ２３に表示する。
【００３８】
図１０は前記定型文登録要求を受付けた場合、着信側の端末装置１０がディスプレイ２３に表示する情報を示している。ディスプレイ２３に表示する情報の要素として以下のものがある。定型文登録要求元を示す「石井さん（０９０１１１１１１１１）」２３０９という情報要素。定型文を示す「急な会議のため残業です。」２３１１という情報要素。定型文登録を行う際に用いるボタンを示す「登録」２３１５という情報要素。
【００３９】
Ｓ５１３において、Ｐ９は利用者から前記定型文登録情報を登録するための要求を受付けた場合に前記定型文登録情報を端末装置１０中の端末装置テーブル１７に格納する。前記定型文登録情報を登録するための要求は、利用者がそのためのキー２５を操作したことを契機とするものである。その格納に際して、Ｐ９は前記定型文登録情報中の定型文と定型文ＩＤを前記端末装置テーブル１７中の前記定型文登録情報中の発信元メールアドレス又は発信電話番号に対応する定型文ＩＤ１７９と定型文１８１に格納する。
【００４０】
４．定型文表示処理のシーケンス図
ここで、図１１と図１２を用いて発信側の端末装置１０が、定型文登録用呼設定信号を生成、生成した定型文登録用呼設定信号を着信側の端末装置１０に送信し、それを着信側の端末装置１０が受信するまでの処理を説明する。図１１は定型文表示処理を行う場合の発信側の端末装置１０と交換機３０と着信側の端末装置１０の間の処理シーケンスの例である。発信側の端末装置１０中のＣＰＵ３は、定型文表示要求プログラム１１（以下、Ｐ１１と呼ぶ）を制御することにより定型文表示要求処理を行う。交換機３０中のＣＰＵ３１は、記憶部３３中の呼中継プログラム３７（以下Ｐ３７と呼ぶ）を制御することにより呼の中継処理を行う。着信側の端末装置１０中のＣＰＵ３は、定型文表示プログラム１３（Ｐ１３と呼ぶ）を制御することにより定型文表示処理を行う。
【００４１】
Ｓ１２０において、Ｐ１１は利用者が入力した定型文表示要求を受付ける。その定型文登録要求の情報の要素は、定型文ＩＤと定型文の表示先である。定型文ＩＤは発側端末装置１０の利用者が前記定型文を着側端末装置１０で表示するための認証として使用する情報である。定型文の表示先は事前に定型文を送信した送信先メールアドレスに対応する電話番号である。この電話番号は利用者が端末装置テーブル１７中の電話番号１７５から選択したものでも良い。
【００４２】
図１２は前記定型文表示要求を受付ける場合、発信側の端末装置１０がディスプレイ２３に表示する情報を示している。ディスプレイ２３に表示する情報の要素として以下のものがある。定型文ＩＤを示す「１」２３１７という情報要素。定型文を示す「急な会議のため残業です。」２３１９という情報要素。定型文ＩＤの送信先を示す電話番号「０９０１１１１２２２２」２３２１という情報要素。定型文表示要求を行う際に用いるボタンを示す「表示」２３２３という情報要素。
【００４３】
Ｓ１２１において、Ｐ１１は前記定型文表示要求の情報と端末装置テーブル１７中の端末装置電話番号１７１を用いて定型文登録表示用の呼設定信号を生成する。前記定型文表示用の呼設定信号の情報要素と当該情報要素の設定方法は、前記定型文登録用の呼設定信号の場合と基本的に同様である。前記定型文登録用の呼設定信号の場合と異なる部分は、以下の通りである。発電番７０１には、端末装置テーブル１７中の端末装置電話番号１７１を設定する。着電番７０３には、端末装置テーブル１７中の電話番号を設定する。この電話番号は事前に定型文ＩＤと定型文を含む定型文登録用メールを送信した送信先メールアドレスに対応するものである。付加情報７１１には、定型文ＩＤのみを設定する。Ｓ１２３において、Ｐ２５は前記定型文表示用呼設定信号を交換機３０に送信する。送信先の交換機０は端末装置テーブル１７から抽出した交換機ＩＤ１６３で特定したものである。
【００４４】
Ｓ３２０において、Ｐ３７は発信側の端末装置１０から受信した定型文表示用呼設定信号し、受信した定型文表示用呼設定信号を着信側の端末装置１０に中継する。中継先の端末装置１０は中継テーブル３９から抽出した端末装置ＩＤ２９３で特定したものである。この端末装置ＩＤ２９３は定型文表示用呼設定信号中の着電番７０３に対応するものである。
【００４５】
Ｓ５２０において、Ｐ１３は定型文表示用呼設定信号を受信する。Ｓ５３７において、Ｐ１３は前記定型文表示用呼設定信号から発番号７０７を抽出する。
【００４６】
ここで、図１１を用いて着信側の端末装置１０が、定型文登録用呼設定信号に対応する呼応答信号を生成、生成呼応答信号を発信側の端末装置１０に送信し、それを発信側の端末装置１０が受信するまでの処理を説明する。先に説明した図１１中のＳ５２１において、Ｐ１３は前記定型文表示用呼設定信号に対応するトランザクションＩＤ７０３を持つ呼応答信号を生成し、生成した呼応答信号を交換機３０に送信する。送信先の交換機３０は端末装置テーブル１７から抽出した交換機ＩＤ１６３で特定したものである。Ｓ３２１において、Ｐ３７は着信の端末装置１０から受信した呼応答信号し、受信した呼応答信号を発信側の端末装置１０に中継する。中継先の端末装置１０は前記呼応答信号中のトランザクションＩＤ７０３に対応するもので中継テーブル３９から抽出したものである。Ｓ１２５において、Ｐ１１は交換機３０から呼設定応答信号を受信する。この呼設定応答信号は、前記定型文表示用呼設定信号が着側の端末装置１０が到達したことを確認するためのものである。
【００４７】
ここで、図１１と図１３を用いて着信側の端末装置１０が、受信した定型文登録用呼設定信号から定型文を抽出してから抽出した定型文を表示するまでの処理を説明する。Ｓ５２２において、Ｐ１３は前記定型文表示用呼設定信号中の付加情報７１１中を抽出する。Ｓ５２３において、Ｐ１３は前記の付加情報中が定型文ＩＤを含んでいるかどうかを判定する。その判定方法はＳ５０９と同様の処理を用いて行う。前記判定の結果、前記付加情報中が定型文ＩＤを含んでいた場合、Ｓ５２５において、Ｐ１３は前記定型文ＩＤと発電番７０７に対応する定型文１８１を端末装置テーブル１７から抽出する。前記判定の結果、前記の付加情報中が定型文ＩＤを含んでいなかった場合、Ｓ５３５において、Ｐ１３は通常の呼制御を行う。Ｓ５２７において、Ｐ１３は端末装置テーブル１７から抽出した定型文１８１を用いた表示情報を作成し、作成した表示情報を端末装置１０中のディスプレイ２３に表示する。
【００４８】
図１３は前記定型文表示要求を受付けた場合、着信側の端末装置１０がディスプレイ２３に表示する情報を示している。ディスプレイ２３に表示する情報の要素として以下のものがある。定型文表示要求元を示す「石井さん（０９０１１１１１１１１）」２３２５という情報要素。定型文を示す「急な会議のため残業です。」２３２７という情報要素。
【００４９】
ここで、図１１を用いて発信側の端末装置１０が、定型文登録用呼設定信号に対応する呼出信号を生成、生成した呼出信号を発信側の端末装置１０に送信し、それを発信側の端末装置１０が受信するまでの処理を説明する。先に説明した図１１中のＳ１２６において、Ｐ１１は前記の定型文表示用呼設定信号に対応するトランザクションＩＤを持つ呼出信号を生成し、生成した呼出信号を交換機に送信する。送信先の交換機３０は端末装置テーブル１７から抽出した交換機ＩＤ１６３で特定したものである。Ｓ３２２において、Ｐ３７は発信の端末装置１０から受信した呼出信号し、受信した呼出信号を発信側の端末装置１０に中継する。中継先の端末装置１０は前記呼応答信号中のトランザクションＩＤ７０３に対応するもので中継テーブル３９から抽出したものである。Ｓ５２８において、交換機３０から呼出信号を受信する。この呼出信号は発信側の端末装置１０が呼出処理を行うために受信するものである。
【００５０】
ここで、図１１と図１２を用いて着信側の端末装置１０が、表示している定型文に対する中止要求を受付けてから定型文の表示に伴う呼を解放するまでの処理を説明する。先に説明した図１１中のＳ５２９において、Ｐ１３は利用者から前記定型文１８１を表示することを中止し、前記表示に関連する呼を解放するための要求を受付ける。この解放要求は利用者が呼解放のためのキー２５を操作したことを契機とするものである。そして、前記定型文１８１を表示することを中止し、前記表示に関連する呼を解放する処理を行う。Ｓ５３１において、Ｐ１３は前記定型文表示用呼設定信号に対応するトランザクションＩＤ７０３を持つ解放信号を生成し、生成した解放信号を交換機３０に送信する。送信先の交換機３０は端末装置テーブル１７から抽出した交換機ＩＤ１６３で特定したものである。Ｓ３２３において、Ｐ３７は着信の端末装置１０から受信した解放信号し、受信した解放信号を発信側の端末装置１０に中継する。中継先の端末装置１０は前記解放信号中のトランザクションＩＤ７０３に対応するもので中継テーブル３９から抽出したものである。Ｓ１２７において、Ｐ１１は交換機３０から解放信号を受信する。この解放信号は、着側の端末装置１０から前記定型文表示用呼設定信号に対する呼の解放要求があったことを確認するためのものである。
【００５１】
Ｓ５３３において、Ｐ１３は前記定型文表示用呼設定信号に対応するトランザクションＩＤ７０３を持つ解放完了信号を生成し、生成した解放完了信号を交換機３０に送信する。送信先の交換機３０は端末装置テーブル１７から抽出した交換機ＩＤ１６３で特定したものである。Ｓ３２４において、Ｐ３７は着信の端末装置１０から受信した解放完了信号し、受信した解放完了信号を発信側の端末装置１０に中継する。中継先の端末装置１０は前記解放信号中のトランザクションＩＤ７０３に対応するもので中継テーブル３９から抽出したものである。Ｓ１２８において、Ｐ１１は交換機３０から解放完了信号を受信する。この解放完了信号は、着側の端末装置１０から前記定型文表示用呼設定信号に対する呼の解放が完了したことを確認するためのものである。
【００５２】
５．表示応答を含む定型文表示処理のシーケンス図
ここで、図１４と図１５、図１６用いて着信側の端末装置１０が、定型文の表示が所定時間を越えて行われていることを検出したことをトリガとして表示応答用解放信号を生成し、生成した表示応答用解放信号を発信側の端末装置１０に送信し、それを受信した発信側の端末装置１０が受信した表示応答用解放信号を用いた表示を行うまでの処理を説明する。図１４は表示応答を含む定型文表示処理を行う場合の発信側の端末装置１０と交換機３０と着信側の端末装置１０の間の処理シーケンスの例である。発信側の端末装置１０中のＣＰＵ３は、表示応答を含む定型文表示要求プログラム１４（以下、Ｐ１４と呼ぶ）を制御することにより表示応答を含む定型文表示要求処理を行う。交換機３０中のＣＰＵ３１は、記憶部３３中の呼中継プログラム３７（以下Ｐ３７と呼ぶ）を制御することにより呼の中継処理を行う。着信側の端末装置１０中のＣＰＵ３は、表示応答を含む定型文表示プログラム１５（Ｐ１５と呼ぶ）を制御することにより表示応答を含む定型文表示処理を行う。表示応答を含む定型文表示処理は、先に説明した定型文表示処理に着信端末装置１０が定型文を一定時間表示したことを発信端末装置１０に表示する機能を追加したものである。定型文表示処理と同様な部分は以下の通りである。Ｐ１４のＳ１４０からＳ１４６までの処理及びＳ１４９の処理は、Ｐ１１のＳ１２０からＳ１２６までの処理及びＳ１２８の処理と同様のものである。Ｐ３７のＳ３４０からＳ３４２までの処理及びＳ３４５の処理は、Ｓ３２０からＳ３２２までの処理及び３２４の処理と同様のものである。Ｐ１５のＳ５４０からＳ５４８までの処理及びＳ５５７の処理は、Ｐ１３のＳ５２０からＳ５２８までの処理及びＳ５３３の処理と同様のものである。
【００５３】
表示応答を含む定型文表示処理に固有の処理を以下で説明する。
【００５４】
Ｓ５４９において、Ｐ１５はＳ５４７の定型文表示処理が前記定型文表示時間を越えて行われたかどうかの判定を行う。この判定は図示していないが利用者が記憶部５に定義した定型文表示時間と着信の端末装置１０が通常持つ時計管理機能を用いて行う。前記判定の結果、Ｓ５４７の定型文表示処理が前記定型文表示時間を越えて行われていない場合、再度Ｓ５４７の処理を行う。前記判定の結果、Ｓ５４７の定型文表示処理が前記定型文表示時間を越えて行われていた場合、Ｓ５５１において、Ｐ１５は、表示応答用解放信号を生成する。
【００５５】
図１５は表示応答用解放信号を示している。表示応答用呼解放信号の要素は、プロトコル識別８０１とトランザクションＩＤ８０３、メッセージタイプ８０５、付加情報８０７である。このプロトコル識別７１０には端末装置１０が、表示応答を含む定型文表示用呼制御信号と同じ情報を設定する。トランザクションＩＤ７０３には、呼制御中の呼を特定するため情報である。このトランザクションＩＤには端末装置１０が、表示応答を含む定型文表示用呼制御信号と同じ情報を設定する。メッセージタイプ７０５は前記プロトコル識別７１０で使用する呼制御メッセージの種別を特定するための情報である。このメッセージタイプには端末装置１０が、解放（ＲＥＬＥＡＳＥ）を意味する設定する。付加情報７１１は利用者が任意に設定できる情報である。この付加情報には端末装置１０が、定型文表示処理が前記定型文表示時間を越えて行われていたことを意味する情報を設定する。この情報は利用者が任意に入力したものでも良いし、図示していないが記憶部５中に予め定義しているものを用いても良い。付加情報８０７は一つの情報要素である必要はない。例えば３ＧＰＰ  ＴＳ  ２４．００８で規定されているＬｏｃｋｉｎｇ  Ｓｈｉｆｔ手順を用いて付加情報を有効にするための情報要素であるＬｏｃｋｉｎｇ  Ｓｈｉｆｔと前記Ｌｏｃｋｉｎｇ  Ｓｈｉｆｔにより有効となる付加情報という二つの情報要素によって構成されるものでも良い。
【００５６】
先に説明した図１１中のＳ５５３において、Ｐ１５は前記表示応答を含む定型文表示用呼設定信号に対応するトランザクションＩＤ７０３を持つ表示応答用解放信号を生成し、生成した表示応答用解放信号を交換機３０に送信する。送信先の交換機３０は端末装置テーブル１７から抽出した交換機ＩＤ１６３で特定したものである。Ｓ３４３において、Ｐ３７は着信の端末装置１０から受信した表示応答用解放信号し、受信した表示応答用解放信号を発信側の端末装置１０に中継する。中継先の端末装置１０は前記解放信号中のトランザクションＩＤ７０３に対応するもので中継テーブル３９から抽出したものである。Ｓ１４７において、Ｐ１４は交換機３０から表示応答用解放信号を受信し、受信した表示応答用解放信号中の付加情報８０７を抽出する。そして、Ｐ１４は抽出した付加情報８０７を用いて表示情報を作成し、作成した表示情報を端末装置１０中のディスプレイ２３に表示する。
【００５７】
図１６は前記表示応答用解放信号を受信した場合、発信側の端末装置１０がディスプレイ２３に表示する情報を示している。ディスプレイ２３に表示する情報の要素として以下のものがある。定型文表示先を示す「赤間さん（０９０１１１１２２２２）」２３２９という情報要素。定型文表示の応答を示す「定型文１を２分間表示しました。」２３３１という情報要素。
【００５８】
本実施例において、送信手段と受信手段は、無線制御部２１が担うものである。作成手段は、定型文登録要求プログラム７又は表示応答を含む定型文表示要求プログラム１４が担うものである。検出手段と開示手段は、定型文登録プログラム９又は定型文表示プログラム１３又は表示応答を含む定型文表示プログラム１５が担うものである。記憶手段は端末装置テーブル１７が担うものである。
【００５９】
以上、本発明を実施例に基づいて説明したが、本発明は前記の実施例に限定されるものではなく、特許請求の範囲に記載した構成を変更しない限りどのようにでも実施することができる。
【００６０】
（付記１）
発信端末装置と着信端末装置を回線接続するための呼制御信号を発信可能な発信端末装置の制御方法において、
入力された前記着信端末装置への伝言情報と、前記着信端末装置で前記伝言情報を開示するための認証に用いられる認証情報と通知元が含まれる伝言設定情報を前記着信端末装置に送信するステップと、
前記送信するステップにおいて送信した前記認証情報を記憶するステップと、
前記回線接続するための回線接続情報を含む前記呼制御信号に前記記憶するステップにおいて記憶した前記認証情報を付加して前記呼制御信号を生成するステップと、
前記生成するステップにおいて生成した前記呼制御信号を前記着信端末装置に送信するステップと、
を有することを特徴とする発信端末装置の制御方法。
【００６１】
（付記２）
発信端末装置と着信端末装置を回線接続するための呼制御信号を着信可能な着信端末装置の制御方法において、
前記発信端末装置から出力された、前記着信端末装置への伝言情報と、前記着信端末装置で前記伝言情報を開示するための認証に用いられる認証情報が含まれる伝言設定情報を受信するステップと、
前記受信するステップにおいて受信した前記伝言情報と前記認証情報を記憶するステップと、
前記呼制御信号を受信するステップと、
前記受信ステップにおいて受信した前記呼制御信号から前記認証情報を検出するステップと、
前記検出ステップにおいて検出した前記認証情報と前記記憶するステップで記憶された前記認証情報が一致したとき前記伝言情報を開示するステップと、
を有することを特徴とする着信端末装置の制御方法。
【００６２】
（付記３）
前記の開示するステップが所定時間以上であった場合、前記の開示するステップに対応する応答を意味する情報要素を含む呼制御信号を生成し、生成した前記呼制御信号を前記発信端末装置に送信するステップと、
を更に備えたことを特徴とする付記２記載の着信端末装置の制御方法。
【００６３】
（付記４）
前記着信側端末から前記伝言情報の開示に対応する応答を意味する情報要素を含む呼制御信号を受信した場合、受信した呼制御信号から抽出した前記情報要素を開示するステップと、
を更に備えたことを特徴とする付記１記載の発信末の制御方法。
【００６４】
（付記５）
発信端末装置と着信端末装置を回線接続するための呼制御信号を発信可能な発信端末装置において、
入力された前記着信端末装置への伝言情報と、前記着信端末装置で前記伝言情報を開示するための認証に用いられる認証情報と通知元が含まれる伝言設定情報と、前記回線接続するための回線接続情報が含まれる前記呼制御信号に前記認証情報を付加した前記呼制御信号を作成する作成手段と、
前記作成手段において使用した前記認証情報を記憶する記憶手段と、
前記作成手段において作成した前記伝言設定情報を送信し、前記回線接続時は前記呼制御信号を前記着信端末装置に送信する送信手段と、
を有することを特徴とする発信端末装置。
【００６５】
（付記６）
発信端末装置と着信端末装置を回線接続するための呼制御信号を着信可能な着信端末装置において、
前記発信端末装置から出力された、前記着信端末装置への伝言情報と、前記着信端末装置で前記伝言情報を開示するための認証に用いられ認証情報を含む伝言設定情報と、前記回線接続するための回線接続情報が含まれる前記呼制御信号に前記認証情報が付加された前記呼制御信号を受信する受信手段と、
前記受信手段において受信した前記伝言情報と前記認証情報を記憶する記憶手段と、
前記受信手段において受信した前記呼制御信号から前記認証情報を検出する検出手段と、
前記検出手段において検出した前記認証情報と前記記憶手段において記憶した前記認証情報が一致したとき前記伝言情報を開示する開示手段と
を有することを特徴とする着信端末装置。
【００６６】
（付記７）
発信端末装置と着信端末装置を回線接続するための呼制御信号を用いた通信システムであって、
入力された前記着信端末装置への伝言情報と前記着信端末装置で前記伝言情報を開示するための認証に用いられる認証情報と通知元が含まれる伝言設定情報と前記回線接続するための回線接続情報が含まれる前記呼制御信号に前記認証情報を付加した前記呼制御信号を作成する作成手段と、
前記作成手段において使用した前記認証情報を記憶する記憶手段と、
前記作成手段において作成した前記伝言設定情報を送信し、前記回線接続時は前記呼制御信号を前記着信端末装置に送信する送信手段とを有する発信端末装置と、
前記発信端末装置から出力された前記着信端末装置への伝言情報と前記着信端末装置で前記伝言情報を開示するための認証に用いられ認証情報を含む伝言設定情報と前記回線接続するための回線接続情報が含まれる前記呼制御信号に前記認証情報が付加された前記呼制御信号を受信する受信手段と、
前記受信手段において受信した前記伝言情報と前記認証情報を記憶する記憶手段と、
前記受信手段において受信した前記呼制御信号から前記認証情報を検出する検出手段と、
前記検出手段において検出した前記認証情報と前記記憶手段において記憶した前記認証情報が一致したとき前記伝言情報を開示する開示手段とを有する着信端末装置置と、
前記発信端末装置置と前記着信端末装置を接続するための交換ネットワークと、
を有することを特徴とする通信システム。
【００６７】
（付記８）
発信端末装置と着信端末装置を回線接続するための呼制御信号を発信可能な発信端末装置を制御する発信端末装置プログラムにおいて、
入力された前記着信端末装置への伝言情報と、前記着信端末装置で前記伝言情報を開示するための認証に用いられる認証情報と通知元が含まれる伝言設定情報を前記着信端末装置に送信するステップと、
前記送信するステップにおいて送信した前記認証情報を記憶するステップと、
前記回線接続するための回線接続情報を含む前記呼制御信号に前記記憶するステップにおいて記憶した前記認証情報を付加して前記呼制御信号を生成するステップと、
前記生成するステップにおいて生成した前記呼制御信号を前記着信端末装置に送信するステップと、
をコンピュータに実行させるための発信端末装置プログラム。
【００６８】
（付記９）
発信端末装置と着信端末装置を回線接続するための呼制御信号を着信可能な着信端末装置の制御する着信端末装置プログラムにおいて、
前記発信端末装置から出力された、前記着信端末装置への伝言情報と、前記着信端末装置で前記伝言情報を開示するための認証に用いられる認証情報が含まれる伝言設定情報を受信するステップと、
前記受信するステップにおいて受信した前記伝言情報と前記認証情報を記憶するステップと、
前記呼制御信号を受信するステップと、
前記受信ステップにおいて受信した前記呼制御信号から前記認証情報を検出するステップと、
前記検出ステップにおいて検出した前記認証情報と前記記憶するステップで記憶された前記認証情報が一致したとき前記伝言情報を開示するステップと、
をコンピュータに実行させるための着信端末装置プログラム。
【００６９】
（付記１０）
発信端末装置と着信端末装置を回線接続するための呼制御信号を発信可能な発信端末装置を制御する発信端末装置プログラムを格納したコンピュータ読み取り可能な記録媒体において、
入力された前記着信端末装置への伝言情報と、前記着信端末装置で前記伝言情報を開示するための認証に用いられる認証情報と通知元が含まれる伝言設定情報を前記着信端末装置に送信するステップと、
前記送信するステップにおいて送信した前記認証情報を記憶するステップと、
前記回線接続するための回線接続情報を含む前記呼制御信号に前記記憶するステップにおいて記憶した前記認証情報を付加して前記呼制御信号を生成するステップと、
前記生成するステップにおいて生成した前記呼制御信号を前記着信端末装置に送信するステップと、
をコンピュータに実行させるための発信端末装置プログラムを格納したコンピュータ読み取り可能な記録媒体。
【００７０】
（付記１１）
発信端末装置と着信端末装置を回線接続するための呼制御信号を着信可能な着信端末装置の制御する着信端末装置プログラムを格納したコンピュータ読み取り可能な記録媒体において、
前記発信端末装置から出力された、前記着信端末装置への伝言情報と、前記着信端末装置で前記伝言情報を開示するための認証に用いられる認証情報が含まれる伝言設定情報を受信するステップと、
前記受信するステップにおいて受信した前記伝言情報と前記認証情報を記憶するステップと、
前記呼制御信号を受信するステップと、
前記受信ステップにおいて受信した前記呼制御信号から前記認証情報を検出するステップと、
前記検出ステップにおいて検出した前記認証情報と前記記憶するステップで記憶された前記認証情報が一致したとき前記伝言情報を開示するステップと、
をコンピュータに実行させるための着信端末装置プログラムを格納したコンピュータ読み取り可能な記録媒体。
【図面の簡単な説明】
【００７１】
【図１】発信端末装置及び着信端末装置のハードウェア構成図
【図２】端末装置テーブル構成例
【図３】交換機のハードウェア構成図
【図４】中継テーブル構成例
【図５】定型文登録シーケンス図
【図６】定型文登録用メール信号構成例
【図７】定型文登録用呼設定信号（ＳＥＴＵＰ）構成例
【図８】定型文登録用メール構成例
【図９】定型文登録処理を行う場合の発信の端末装置１０の画面例
【図１０】定型文登録処理を行う場合の着信の端末装置１０の画面例
【図１１】定型文表示シーケンス図
【図１２】定型文表示処理を行う場合の発信の端末装置１０の画面例
【図１３】定型文表示処理を行った場合の着信の端末装置１０の画面例
【図１４】表示応答処理を含む定型文表示シーケンス図
【図１５】表示応答用解放信号（ＲＥＬＥＡＳＥ）構成例
【図１６】表示応答処理を行った場合の発信の端末装置１０の画面例
【符号の説明】
【００７２】
３  ＣＰＵ
５  記憶部
７  定型文登録要求プログラム
９  定型文登録プログラム
１０  端末装置
１１  定型文表示要求プログラム
１３  定型文表示プログラム
１４  表示応答処理を含む定型文表示要求プログラム
１５  表示応答処理を含む定型文表示プログラム
１７  定型文管理テーブル
１９  バス
２１  無線制御部
２３  ディスプレイ
２５  キー
【図１】
2008077396.tif 000003
【図２】
2008077396.tif 000004
【図３】
2008077396.tif 000005
【図４】
2008077396.tif 000006
【図５】
2008077396.tif 000007
【図６】
2008077396.tif 000008
【図７】
2008077396.tif 000009
【図８】
2008077396.tif 000010
【図９】
2008077396.tif 000011
【図１０】
2008077396.tif 000012
【図１１】
2008077396.tif 000013
【図１２】
2008077396.tif 000014
【図１３】
2008077396.tif 000015
【図１４】
2008077396.tif 000016
【図１５】
2008077396.tif 000017
【図１６】
2008077396.tif 000018